(57)【要約】      （修正有）【課題】自分の体の背面の肩こりや腰痛解消に好適な、電動マッサージと湿布薬の塗布を一連の作業として実施でき、しかも高齢者等へのプレゼント品としても好適な携帯式治療具を提供する。【解決手段】第１取手１０と第２取手２０が接続部２３で接続され、第２取手にはホルダー３１が脱着自在にボルト止めされ、ホルダーには湿布薬又は、電動式マッサージ器が脱着自在に装着される。また、第１取手の掻手部には写真装着部１３が周辺より窪んで設けられ、第１取手や第２取手の柄部１４，２２にはメッセージ装着部１６が周辺より窪んで設けられる。携帯などで撮影したシール写真と、シールにプリントしたメッセ―を孫の手の掻手部１１や柄部の装着部に装着できる構成とする。【選択図】図１
2017047145.tif 000002
【特許請求の範囲】
【請求項１】
手の届かない背面に使用者自身が治療を施すことのできる孫の手形状の携帯式治療具ホルダーであって、
第１の取手となる写真画像装着部が設けられた掻手部と、メッセージ装着部が設けられた第１柄部と、第１接続部とを有する第１取手と、
第２の取手となるホルダーを脱着自在にネジ止めするホルダー取付け部と、メッセージ装着部が設けられた第２柄部と、第２接続部とを有する第２取手と、
が前記第１接続部と第２接続部において接続されて組立てられ、
前記ホルダー部に少なくとも湿布薬又は電動式マッサージ器が、脱着自在に固定できることを特徴とする写真画像装着部が設けられた孫の手形状の携帯式治療具ホルダー。
【請求項２】
前記第１取手と前記第２取手が成型樹脂で製作され、前記写真画像装着部が前記掻手部の少なくとも一方の面に設けられ、
前記メッセージ装着部が前記第１柄部と前記第２柄部の何れか一方又は両方の、一方の面又は両方の面に設けられ、
前記写真画像装着部と前記メッセージ装着部がそれぞれ周辺部より窪んで形成されることを特徴とする請求項１に記載の写真画像装着部が設けられた孫の手形状の携帯式治療具ホルダー。
【発明の詳細な説明】
【技術分野】
【０００１】
本発明は、自分の手が届かない背面の肩や腰に使用者自身が電動式マッサージ器や、湿布薬を塗布することで、肩こりや腰痛を治療することのできる携帯式治療具であって、プレゼント用として好適な写真画像装着部を有する孫の手形状の携帯式治療具ホルダーに関する。
【背景技術】
【０００２】
直接自分の手の届かない背面の肩こり、筋肉痛、腰痛等を緩和する方法として、孫の手を活用したマッサージ器や湿布薬塗布道具の発明や考案が開示されている。
特許文献１には、支持杆の一方端に湿布薬などの薬剤ケースを簡易に着脱でき、かつ的確な取付状態を維持できる変形可能な湾曲部を設け、他端部にブラシ部を設けた薬剤塗布用具の考案が開示されている。
【０００３】
また、特許文献２には、所要長さの棒状体の一端に、多数の突起を形成した掻痒部を設け、棒状体の他端部に球面部と平面部を有する略半球状体を設け、半球面体の球面部を肩叩き用とし、平面部を薬剤塗布部とする多機能掻痒解消具が開示されている。
また、特許文献３には、マッサージ機能を有する携帯保管可能な二つ折り式の電動式孫の手が開示されている。この考案では二つ折りされる一方の柄部に電池と、モータと、スイッチ釦と、モータの駆動力を伝えるギヤ、駆動軸などが収納され、他方の柄部にはマッサージ摩擦輪が設置される。折曲げ部にはカップリングが配置され、モータの駆動力はカップリングで連結されてマッサージ摩擦輪に伝えられる。
【先行技術文献】
【特許文献】
【０００４】
【特許文献１】実用新案登録第３１２９２１０号「薬剤塗布用具」
【特許文献２】特開２００６−１０１９８９  「多機能掻痒解消具」
【特許文献３】実公平７−５６０１０「電動孫の手」
【発明の概要】
【発明が解決しようとする課題】
【０００５】
肩こり、筋肉痛、腰痛はマッサージや湿布薬の塗布をそれぞれ単独に施すよりも、マサージに湿布薬の塗布を重畳させることで、一層の相乗効果が期待できる。これらの効果は患部が体の前面にある場合、手に市販の電動マッサージ器を持ち電動マッサージ器を患部に当てマッサージを施した後、電動マッサージ器を湿布薬に持ち替えて幹部に湿布薬を塗布することで容易に実施できる。しかし、同様の治療を手の届かない体の背面に位置する患部に施すことは容易でない。
【０００６】
湿布薬を体の背面に塗布する作業のみであれば、特許文献１の発明により容易に実施できる。また、電動マッサージのみを体の背面に施すことは、実用新案文献２の発明により容易である。しかし、電動マッサージと湿布薬の塗布を一連の作業として体の背面に施すことを可能とする発明の開示は未だない。本発明は、体の背面に位置する患部に湿布薬を塗布した後、連続して電動マッサージを施すと伴に、体の前面に位置する患部についても背面患部と同一治療を容易に実施できる携帯式治療具を提供することを目的とする。
【０００７】
また、携帯式治療具ホルダーは孫の手形状をなすものが殆どである。孫の手形状の携帯式治療具を必要とする年齢層は高齢者が多く、高齢者へのプレゼントとしては、機能と効果の両面から好適と言える。しかし、大量生産される孫の手形状の携帯式治療具では、価格的には手頃であるが、送り相手の健康を気遣ってのプレゼントであるとの気持ちが必ずしも十分伝わり難い。本発明は、プレゼントを受ける側が喜ぶ写真画像やメッセージの装着を可能とする孫の手形状の携帯式治療具とすることで、送り手の気持ちを十分伝えることができる携帯式治療具ホルダーの提供を目的とする。
【課題を解決するための手段】
【０００８】
請求項１に記載の発明は、手の届かない背面に使用者自身が治療を施すことのできる携帯式治療具ホルダーであって、電動マサージ器と湿布薬を装着できる。
第１取手は写真画像装着部を有する孫の手の掻手部と、第１柄部と、第１接続部で構成され、第２取手はホルダーを脱着自在にネジ止めするホルダー取付け部と、第２柄部と、第２接続部で構成される。第１接続部と第２接続部は一方が雌形、他方が雄形に成型され、雌形に雄形が挿入されて第１取手と第２取手が一体化される。
第２取手のホルダー取付け部にはホルダーがネジ止めされ、ホルダーには湿布薬又は電動式マッサージ器が脱着自在に挿入・固定される。
【０００９】
本携帯式治療具ホルダーには少なくとも湿布薬と電動マサージ器の何れか一方を装着できるので、使用者が直接手の届かない背面であっても、本携帯式治療具ホルダーを片手に把持し、必要な患部に湿布薬を塗布したり電動マッサージ器でマッサージを施すことができる。
【００１０】
請求項２に記載の発明は、請求項１に記載された携帯式治療具であって、第１取手と第２取手が成型樹脂で製作される。第１取手の掻手部の一方の面または両方の面に写真画像装着部が設けられ、第１柄部の一方の面または両方の面にメッセージ装着部が設けられる。また、写真画像装着部とメッセージ装着部は周辺部より窪んで成型される。
メッセージ装着部は第１柄部のみならず第２柄部に設けられてもよく、メッセージは最大で第１柄部の両面、第２柄部の両面の合計４箇所に装着できる。
第１取手に設けられる画像装着部とメッセージ装着部は周辺より窪んで成型されるので、写真画像装着部に写真画像シールが貼り付けられるとき、写真画像シールの周囲が窪み部に保護され、摩擦などの外力を受けても剥がれる恐れはない。同様に第２柄部に設けられメッセージ装着部に貼り付けられたメッセージシールも窪み部に保護され剥がれの恐れはない。
【発明の効果】
【００１１】
開示された従来技術による電動式マッサージ器は、体の背面専用のマッサージ器であるため、体の前面のマッサージには使い勝手が悪く、体の前面用に別途市販の電動マッサージ器を準備する必要があった。しかし、本発明の携帯式治療具ホルダーでは、電動マッサージ器と湿布薬を容易に取り外すことができ、体の前面の治療には、取り外した電動マッサージ器と湿布薬を直接手に把持し、患部に治療を施すことができる。即ち、本発明の携帯式治療具ホルダーおよび携帯式治療具は、体の背面のみでなく、体の前面での治療にも対応できる。
【００１２】
また、本発明では、プレゼントを受ける側が喜ぶ写真画像やメッセージの装着を可能とする孫の手形状の携帯式治療具であるので、例えば、孫が自分の携帯で撮影して作成した顔写真画像等のシール写真と、シールメッセージを孫の手の掻手部や柄部に装着し、孫からお爺ちゃんやお婆ちゃんへの唯一無二のプレゼントとすることができる。
【図面の簡単な説明】
【００１３】
【図１】携帯式治療具ホルダー。
【図２】第１取手及び第２取手。
【図３】ホルダー部。
【図４】湿布薬装着携帯治療具。
【図５】電動式マッサージ器装着携帯治療具。
【図６】コンパクト化した状態の概観図。
【図７】写真画像プリントシステム。
【図８】写真画像シール。
【発明を実施するための形態】
【００１４】
本発明の携帯式治療具ホルダーの(1)基本構成、（２）携帯式治療具としての構成、（３）写真画像とメッセージ作成装着について以下に説明する。
【００１５】
（１）基本構成について
本発明の基本構成を図１〜図３を用いて説明する。
図１は携帯式治療具ホルダーの概観図であり、図２は第１取手及び第２取手、図３はホルダー部である。携帯式治療具ホルダー１は第１取手１０と、第２取手２０と、ホルダー３１が組立てられ構成される。第１取手１０の一端は雄形の第１接続部１５が設けられ、第２取手２０の一端に設けられた雌形の第２接続部２３に挿入されて一体化する。
第１取手１０の貫通穴２６と第２取手２０の貫通穴２７は挿入状態で上下を貫通する穴が形成されるので、射出成型により作成された貫通ピン３６（図５参照）を挿入することで確実に一体化される。
【００１６】
第２取手２０の他端にはホルダー取付け部２１が設けられる。ホルダー取付け部２１の表面には位置決めピット２５が設けられ、ホルダー３１はホルダー表面に設けられた突起３５を位置決めピット２５に適合させて位置決めされる。位置決めされたホルダー３１は、貫通穴２４を貫通する固定ビス３２と、図示しない蝶ナットで結束され一体化する。なお、図１では、図３のホルダー３１がホルダー取付け部２１の上向きに１個のみ設置されているが、更にホルダー１個を追加し、ホルダー取付け部２１の上下方向に１対のホルダーを固定ビス３２で一体に固定できる。この場合蝶ナットは通常のナットに変更する必要がある。
【００１７】
第１取手１０の他端には掻手部１１が設けられ、掻手部１１の先端部は湾曲した掻爪部１２が形成される。掻手部１１の中央部には写真装着部１３が周辺より窪んで設けられる。窪み部の大きさ、形状、深さは必要に応じて適宜設定できる。
掻手部１１の裏面にも写真装着部１３（図６参照）が形成される。裏面に形成される写真装着部１３の窪み部の大きさ、形状、深さも必要に応じた設定にできる。
第１取手１０の第１柄部１４にはメッセージ装着部１６が周辺より窪んで設けられ、窪み部の大きさ、形状、深さは必要に応じて自在に設定できる。また、第１柄部１４の裏面にもメッセージ装着部として、メッセージ装着部を設けることができる。また、第２取手２０の第２柄部２２にもメッセージ装着部２８が周辺より窪んで設けられ、更に、第２柄部２０の裏面にもメッセージ装着部を設けることができる。
【００１８】
（２）携帯式治療具としての構成について
図４は図１の携帯式治療具ホルダーに湿布薬を装着した携帯式治療具である。
湿布薬４０はホルダー３１に装着される。ホルダー３１の内径は湿布薬４０の外径より若干小さいので、湿布薬４０はホルダー３１の内径を拡張させてセットされる。ホルダー３１はプラスチック成型品で、拡張されたホルダーは強い復元弾性力で湿布薬４０の外径を締付ける。図４の試作品では実用上十分なグリップ力で保持され、湿布薬４０の使用中に湿布薬４０がホルダー３１からズレ落ちる等の問題を生じることはない。しかし、場合により図３に示すプレート３４や図示しないゴムバンなどを用い、ホルダー３１上部の左右一対の開口部を拘束し、グリップ力を更に強化することもできる。
図５は図１の携帯式治療具ホルダーに電動式マッサージ器４１を装着した携帯式治療具である。この場合もホルダー３１の内径は電動式マッサージ器４１の外径より若干小さいので、電動式マッサージ器４１はホルダー３１の内径を拡張させてセットされ、実用上十分なグリップ力で保持される。
【００１９】
また、図４，５には図示されていないが、湿布薬４０や電動式マッサージ器４１をホルダー３１に装着する際、電動式マッサージ器４１や湿布薬４０とホルダー３１との間にゴムシートなど、ゴム弾性を有する滑り止め材料を挿入させてもよい。これらゴム材料は変形し、しかも高い摩擦力を発揮するので、滑りの生じない確実な装着固定が期待できる。
なお、図４，５の構成以外に、ホルダー取付け部２１の上面と下面に１対（２個）のホルダー取付けることが可能である。この場合、１対のホルダーに湿布薬４０と、電動式マッサージ器４１を使用方向を逆向きにして装着することで、湿布薬４０と電動式マッサージ器４１を交換することなく交互に使用することができる。
【００２０】
本携帯式治療具を用いれば、体の硬い高齢者であっても、他人に頼ることなく、手の届かない背中、肩、首筋に対しても、楽な姿勢で携帯式治療具ホルダー１の一端に保持された電動式マッサージ器４１を容易に押し当て、マッサージ効果を体感できる。また、携帯式治療具ホルダー１の一端に保持された湿布薬４０を必要な患部に押し当て、塗布することでマッサージ効果を更に高めることができる。
【００２１】
なお、電動式マッサージ器４１によるマサージ効果と、湿布薬４０の塗布による治療効果は、必ずしも電動式マッサージ器４１によるマッサージが先で、湿布薬４０の塗布が後と決める必要はなく、何れを先に実施してもよく、また、これらを交互に実施してもよい。要は、使用者が実感できる治療効果に基づいて、使用者が自分の好みで実施順序と組合せを決めればよい。
電動式マッサージ器４１によるマサージ効果と、湿布薬４０の塗布効果を同時に得たい場合、湿布薬４０と電動式マッサージ器４１が一体に装着された携帯式治療具ホルダーが好適に使用できる。
【００２２】
（３）写真画像とメッセージ作成装着について
図７に写真画像プリトシステム５０を示す。写真画像プリトシステム５０はプリンタ５１を中心として、携帯端末５２、カメラ５３、ＰＣ５４の何れか１つ以上が接続される。
接続方法は、有線、無線の両方が可能である。携帯端末５２、カメラ５３、ＰＣ５４は何れも写真画像やメッセージデータをプリンタ５１に送信する。プリンタ５１は写真画像やメッセージデータを受けて図８に示す写真画像シール５５をプリントする。ここに写真画像シール５５は例えば、画像サイズの異なる２枚の写真画像シール５６、５７と、サイズや文言の異なる２枚のメッセージシール５８，５９である。この写真画像シール５５は、写真画像やメッセージの印刷紙（フィルム）の裏面に接着材がコーティングされ、この接着材表面に離形紙がはり合わされて構成されている。
【００２３】
また、写真画像やメッセージの印刷紙（フィルム）はカッティングプロッター等により所定形状にカッティングされており、これらを離形紙から剥がす時、カッティング形状にカットされて離形される。写真画像シール５６、５７は、第１取手１０の写真装着部１３の装着形状と一致した形状とされ、メッセージシール５８、５９は第１取手１０のメッセージ装着部１６や第２取手２０のメッセージ装着部２８の装着形状に一致させている。従って、プリントシール５５から取り出した写真画像シール５６、５７およびメッセージシール５８、５９を第１取手１０および第２取手２０の所定の位置に装着することで、携帯式治療具ホルダー１を容易に完成させることができる。
【００２４】
なお、メッセージシール５８，５９の画像データは、必ずしも携帯端末５２、カメラ５３、ＰＣ５４などの外部機器から受信する必要はなく、プリンタ５１に記憶させたデータを呼び出して印刷してもよい。プリンタ５１としては、例えばシンフォニアテクノロジー株式会社製ＣＨＣ−Ｓ２１４５などが好適に使用できる。
【００２５】
本発明の携帯式治療具ホルダー１を２分割の組立方式とした理由は、携帯性を考慮したためである。図６に電動式マッサージ器４１と、第１取手１０と、第２取手２０と、２個のホルダー３１をコンパクトに収納させた状態を示す。図６は電動式マッサージ器４１に替えて湿布薬４０であっても一体に収納可能であり、また、コンパクトな電動式マッサージ器４１や湿布薬４０を選定すれば、電動式マッサージ器４１と湿布薬４０の両方を一体に収納することも十分可能である。
【産業上の利用可能性】
【００２６】
本携帯式治療具ホルダーは、射出成型などで製造可能であり、低コストで供給できれば、特に一人暮らしの高齢者には、福音になるものと思われる。また、写真画像や、メッセイジの装着された携帯式治療具ホルダーは、高齢者に限らず多くの年齢層の人へのプレゼントとして好適であり、テーマパークなどで売られるおみやげ品としても、唯一無二の個性的なプレゼントとして、多くの人に喜ばれる商品になると確信する。
【符号の説明】
【００２７】
１  携帯式治療具ホルダー
１０  第１取手
１１  掻手部
１２  掻爪部
１３  写真装着部
１４  第１柄部
１５  第１接続部
１６  メッセージ装着部
２０  第２取手
２１  ホルダー取付け部
２２  第２柄部
２３  第２接続部
３１  ホルダー
３２  固定ビス
３４  プレート
４０  湿布薬
４１  電動式マッサージ器
５０  写真画像プリントシステム
５１  プリンタ
５２  携帯端末
５３  カメラ
５４  ＰＣ
５５  プリントシール
５６  写真画像シール
５７  写真画像シール
５８  メッセージシール
５９  メッセージシール
【図１】
2017047145.tif 000003
【図２】
2017047145.tif 000004
【図３】
2017047145.tif 000005
【図４】
2017047145.tif 000006
【図５】
2017047145.tif 000007
【図６】
2017047145.tif 000008
【図７】
2017047145.tif 000009
【図８】
2017047145.tif 000010